(57)【要約】【課題】消費電力を低減する。【解決手段】１０８０行及び１９２０列に配置された発光素子と、複数の発光素子に対し行毎に電流を供給するための複数の電流供給用配線と、複数の発光素子を列毎に接地及び開放するための複数の接地開放用配線と、複数の電流供給用配線を介して複数の複数の発光素子に対し行毎に電流を供給する電流供給回路と、複数の接地開放用配線を介して順次１列の複数の発光素子を接地するようにして、発光素子を発光させる接地配線切換回路とを設けるようにしたことにより、接地開放用配線が複数の発光素子の電流出力端と行毎に接続されている場合に比してこの接地開放用配線に接続する発光素子の数が少なくなり、接地開放用配線における電圧降下を低減することができ、その結果、接地開放用配線における電圧降下を見込んで電源が出力する電圧を低減することができ、かくして、消費電力を低減できる。【選択図】図５
2009150942.tif 000002
【特許請求の範囲】
【請求項１】
所定数の行及び当該所定数よりも多数の列状に配置され、複数の画素を形成するための複数の画素形成部と、
複数の上記画素形成部の電流入力端に対し上記行毎に接続され、複数の上記画素形成部に対し上記行毎に電流を供給するための複数の電流供給用配線と、
複数の上記画素形成部の電流出力端に対し上記列毎に接続され、複数の上記画素形成部の上記電流出力端を上記列毎に接地及び開放するための複数の接地開放用配線と、
複数の上記電流供給用配線を介して複数の上記画素形成部に対し上記行毎に電流を供給すると共に、複数の上記接地開放用配線を介して順次１列の上記画素形成部の上記電流出力端を接地し、かつ残りの上記列の上記画素形成部の上記電流出力端を開放するようにして、上記電流出力端を順次接地した一列の上記画素形成部を発光させて画像を表示する発光制御部と
を具えることを特徴とする表示装置。
【請求項２】
複数の上記電流供給用配線は、
上記行と平行に所定の等間隔で配置され、
複数の上記接地開放用配線は、
上記列と平行に上記等間隔で、かつ複数の上記電流供給用配線と交差するように配置され、
複数の上記画素形成部は、
複数の上記電流供給用配線と、複数の上記接地開放用配線との交差する位置に配置された
ことを特徴とする請求項１に記載の表示装置。
【請求項３】
複数の上記接地開放用配線は、
複数の上記画素形成部の電流出力端に対し上記列内の所定組毎に接続される
ことを特徴とする請求項２に記載の表示装置。
【請求項４】
表示の際の上記行と平行な画像横方向のサイズよりも上記列と平行な画像縦方向のサイズが小さい横長な上記画像の画像データを記憶するための記憶部と、
上記記憶部に対し、上記画像データに基づく上記画像を展開するように、当該画像データを上記画像横方向と平行な１行の複数の画素の画素データ群毎に記憶すると共に、上記記憶部から、上記画像データを上記画像縦方向と平行な１列の複数の画素の画素データ群毎に読み出して上記発光制御部に送出する記憶制御部と
を具え、
上記発光制御部は、
上記記憶制御部から順次与えられる上記画像データの上記１列の上記画素データ群に基づき複数の上記電流供給用配線を介して複数の上記画素形成部に対し上記行毎に電流を供給すると共に、複数の上記接地開放用配線を介して順次１列の上記画素形成部の上記電流出力端を接地し、かつ残りの上記列の上記画素形成部の上記電流出力端を開放するようにして、上記電流出力端を順次接地した一列の上記画素形成部を発光させて上記画像を表示する
ことを特徴とする請求項２に記載の表示装置。
【請求項５】
記憶部は、
上記画像データに基づく上記画像を少なくとも２枚分展開して当該画像データを記憶可能な記憶領域を有する
ことを特徴とする請求項４に記載の表示装置。
【発明の詳細な説明】
【技術分野】
【０００１】
本発明は表示装置に関し、例えば、複数の画素を形成するための電流駆動型の複数の画素形成部を発光させて映像を表示するテレビジョン受像機に適用して好適なものである。
【０００２】
従来、時間的に連続し、例えば横長の「１６：９」のアスペクト比を有する複数の画像により形成された映像を表示する表示装置がある。因みに、かかるアスペクト比は、映像を形成する個々の画像の画像横方向（以下、これを画像水平方向とも呼ぶ）のサイズと、画像縦方向（以下、これを画像垂直方向とも呼ぶ）のサイズとの比である。
【０００３】
図１（Ａ）に示すように、この表示装置Ｒ１は、表示パネルＲ２と、電流供給回路Ｒ３と、接地配線切換回路Ｒ４とから構成されている。
【０００４】
表示パネルＲ２は、長方形状でなり、当該表示パネルＲ２の横方向（以下、これをパネル水平方向とも呼ぶ）のサイズと縦方向（以下、これをパネル垂直方向とも呼ぶ）のサイズとのアスペクト比が「１６：９」になるように形成されている。
【０００５】
また表示パネルＲ２には、パネル垂直方向と平行な１９２０本の電流供給用配線Ｒ５が、所定間隔で配線されている。
【０００６】
さらに表示パネルＲ２には、パネル水平方向と平行な１０８０本の接地開放用配線Ｒ６が、所定間隔で、かつ、１９２０本の電流供給用配線Ｒ５のそれぞれと交差するように配線されている。
【０００７】
すなわち、表示パネルＲ２上において、電流供給用配線Ｒ５及び接地開放用配線Ｒ６は、格子状に配線されている。
【０００８】
これら、１９２０本の電流供給用配線Ｒ５と１０８０本の接地開放用配線Ｒ６とが交差する部分のそれぞれには、電流を制御することで発光の輝度が変化する電流駆動型の発光素子Ｒ７が設けられている。
【０００９】
すなわち発光素子Ｒ７は、表示パネルＲ２のパネル水平方向に１９２０個設けられ、また表示パネルＲ２のパネル垂直方向に１０８０個設けられており、その結果、表示パネルＲ２上に「１９２０個×１０８０個」のマトリックス状に配置されている。
【００１０】
発光素子Ｒ７は、電流供給用配線Ｒ５と接地開放用配線Ｒ６とが交差する部分において、入力端が電流供給用配線Ｒ５と接続されていると共に、出力端が接地開放用配線Ｒ６と接続されており、入力端を介して電流供給用配線Ｒ５から与えられる電流が、出力端を介して接地開放用配線Ｒ６に流れることにより発光するようになされている。
【００１１】
一方、電流供給回路Ｒ３には、表示パネルＲ２の電流供給用配線Ｒ５の数の分の定電流源Ｒ８、すなわち１９２０個の定電流源Ｒ８が設けられている。これら定電流源Ｒ８のそれぞれは、入力端が電源Ｒ９に接続されると共に、出力端が、対応する電流供給用配線Ｒ５に接続されている。そして定電流源Ｒ８は、電源Ｒ９から所定電圧で出力される電流を、電流供給用配線Ｒ５を介して発光素子Ｒ７に供給し得るようになされている。
【００１２】
他方、接地配線切換回路Ｒ４には、表示パネルＲ２の接地開放用配線Ｒ６の数の分のスイッチング素子Ｒ１０、すなわち１０８０個のスイッチング素子Ｒ１０が設けられている。これらスイッチング素子Ｒ１０のそれぞれは、入力端が接地開放用配線Ｒ６のそれぞれに接続されていると共に、出力端が接地されている。これらスイッチング素子Ｒ１０のそれぞれは、ＯＮになったときに接地開放用配線Ｒ６を接地させるようになされており、その結果、当該接地開放用配線Ｒ６上の１９２０個の発光素子Ｒ７に電流が流れて発光させるようになされている。
【００１３】
そして表示装置Ｒ１は、電源Ｒ９により電流が供給されると、電流供給回路Ｒ３により、１９２０本の電流供給用配線Ｒ５のそれぞれに対し、映像信号に応じた電流を供給するとともに、接地配線切換回路Ｒ４により、１０８０本の接地開放用配線Ｒ６のうち、接地する接地開放用配線Ｒ６を順次切り換えることで、表示パネルＲ２上の１９２０×１０８０個の発光素子を順次発光させ、その結果、時間的に連続する複数のフレーム画像を映像として表示するようになされていた（例えば、特許文献１参照）。
【特許文献１】特開平１０−１１２３９１号公報
【発明の開示】
【発明が解決しようとする課題】
【００１４】
ところで、表示装置Ｒ１の表示パネルＲ２において接地開放用配線Ｒ６は、電気の導電率の高い（すなわち抵抗率の低い）金属等を用いることで、配線抵抗を極力抑えるように形成されている。
【００１５】
また、接地開放用配線Ｒ６に流れる電流は、１本の接地開放用配線Ｒ６に対して複数（この場合、１９２０本）の電流供給用配線Ｒ５が並列に接続されているため、一本の接地開放用配線Ｒ６に接続する発光素子Ｒ７の全てを一様に発光させた場合、各電流供給用配線Ｒ５により発光素子Ｒ７に対して供給された駆動電流が接地開放用配線Ｒ６上で加算されることになる。
【００１６】
その結果、一本の接地開放用配線Ｒ６に接続する発光素子Ｒ７の全てを一様に発光させた場合、この接地開放用配線Ｒ６に流れる電流[Ｉ]は、図１（Ｂ）に示すように、接地開放用配線Ｒ６上の、接地配線切換回路Ｒ４から最も遠い遠点「Ａ」と最も近い近点「Ｂ」との間における任意の点「Ｃ」において、遠点「Ａ」とこの任意の点「Ｃ」との間で接地開放用配線Ｒ６に接続する発光素子Ｒ７の数（以下、これを発光素子数と呼ぶ）に対して１次関数的に増加する。
【００１７】
一方で、接地開放用配線Ｒ６上の任意の点「Ｃ」における電位[Ｅ]は、この接地開放用配線Ｒ６上に流れる電流が一定であるならば、遠点「Ａ」と任意の点「Ｃ」との間の長さに対し、配線抵抗に応じた傾きで１次関数的に低下する関係にある。
【００１８】
また、発光素子Ｒ７が接地開放用配線Ｒ６に対して所定間隔で接続されていることを考慮すると、接地開放用配線Ｒ６上の任意の点「Ｃ」における電位[Ｅ]は、この接地開放用配線Ｒ６上に流れる電流が一定であるならば、遠点「Ａ」と任意の点「Ｃ」との間の発光素子数に対し、配線抵抗に応じた傾きで１次関数的に低下する関係であるとも言える。
【００１９】
しかしながら、一本の接地開放用配線Ｒ６に接続する発光素子Ｒ７の全てを一様に発光させた場合、接地開放用配線Ｒ６に流れる電流が遠点「Ａ」と任意の点「Ｃ」との間の発光素子数に対して１次関数的に増加するため、接地開放用配線Ｒ６上の任意の点「Ｃ」における電位[Ｅ]は、遠点「Ａ」と任意の点「Ｃ」との間の発光素子数に対して２次関数的に低下する（すなわち、発光素子数に対する１次関数的な変化と電流に対する１次関数的な変化との乗算の結果として２次関数的な変化となる）。
【００２０】
その結果、接地開放用配線Ｒ６上の遠点「Ａ」と近点「Ｂ」との間の電位差[ΔＥ]は、この接地開放用配線Ｒ６の配線抵抗が小さいにもかかわらず、接地開放用配線Ｒ６に接続する発光素子数が多くなると（すなわち接地開放用配線Ｒ６の長さが長くなると）、加速度的に増加することになる。
【００２１】
そのため表示装置Ｒ１は、表示パネルＲ２上の発光素子Ｒ７を発光させる際、表示パネルＲ２上の発光素子Ｒ７に駆動電流を供給するために、接地開放用配線Ｒ６上の遠点「Ａ」と近点「Ｂ」との間の電圧降下（すなわち、電位差[ΔＥ]に相当する電圧降下）を見込んだ電圧を、電源Ｒ９に対して出力させる必要があり、その分、消費電力が大きくなる傾向にあるという問題があった。
【００２２】
本発明は以上の点を考慮してなされたもので、消費電力を低減し得る表示装置を提案しようとするものである。
【課題を解決するための手段】
【００２３】
かかる課題を解決するため本発明においては、所定数の行及び当該所定数よりも多数の列状に配置され、複数の画素を形成するための複数の画素形成部と、複数の画素形成部の電流入力端に対し行毎に接続され、複数の画素形成部に対し行毎に電流を供給するための複数の電流供給用配線と、複数の画素形成部の電流出力端に対し列毎に接続され、複数の画素形成部の電流出力端を列毎に接地及び開放するための複数の接地開放用配線と、複数の電流供給用配線を介して複数の画素形成部に対し行毎に電流を供給すると共に、複数の接地開放用配線を介して順次１列の画素形成部の電流出力端を接地し、かつ残りの列の画素形成部の電流出力端を開放するようにして、電流出力端を順次接地した一列の画素形成部を発光させて画像を表示する発光制御部とを設けるようにした。
【００２４】
これにより、接地開放用配線が複数の画素形成部の電流出力端と行毎に接続されている場合に比してこの接地開放用配線に接続する画素形成部の数が少なくなり、発光制御部により１列の画素形成部を接地した結果としてこの１列の画素形成部に接続する接地開放用配線に電流が流れる際に、接地開放用配線における電圧降下を低減することができ、その結果、１列の画素形成部に電流を供給するために接地開放用配線における電圧降下を見込んで電源が出力する電圧を低減することができる。
【発明の効果】
【００２５】
本発明によれば、所定数の行及び当該所定数よりも多数の列状に配置され、複数の画素を形成するための複数の画素形成部と、複数の画素形成部の電流入力端に対し行毎に接続され、複数の画素形成部に対し行毎に電流を供給するための複数の電流供給用配線と、複数の画素形成部の電流出力端に対し列毎に接続され、複数の画素形成部の電流出力端を列毎に接地及び開放するための複数の接地開放用配線と、複数の電流供給用配線を介して複数の画素形成部に対し行毎に電流を供給すると共に、複数の接地開放用配線を介して順次１列の画素形成部の電流出力端を接地し、かつ残りの列の画素形成部の電流出力端を開放するようにして、電流出力端を順次接地した一列の画素形成部を発光させて画像を表示する発光制御部とを設けるようにしたことにより、接地開放用配線が複数の画素形成部の電流出力端と行毎に接続されている場合に比してこの接地開放用配線に接続する画素形成部の数が少なくなり、発光制御部により１列の画素形成部を接地した結果としてこの１列の画素形成部に接続する接地開放用配線に電流が流れる際に、接地開放用配線における電圧降下を低減することができ、その結果、１列の画素形成部に電流を供給するために接地開放用配線における電圧降下を見込んで電源が出力する電圧を低減することができ、かくして、消費電力を低減し得る表示装置を実現できる。
【発明を実施するための最良の形態】
【００２６】
以下図面について、本発明の一実施の形態を詳述する。
【００２７】
（１）テレビジョン受像機の構成
図２において１は、全体として本実施の形態によるテレビジョン受像機を示す。このテレビジョン受像機１において、ＣＰＵ（Central  Processing  Unit）２は、システムバス３を介して接続されたＲＯＭ（Read  Only  Memory）４から基本プログラムやアプリケーションプログラム等の各種プログラムを読み出してＲＡＭ(Random  Access  Memory)５に展開することにより、これら各種プログラムに従って各種処理を実行すると共にテレビジョン受像機１全体を統括制御する。
【００２８】
因みに、ＣＰＵ２は、クロック発生回路６により生成されたクロック信号に同期して各種処理を実行すると共に、テレビジョン受像機１全体を統括制御する。また、テレビジョン受像機１の各回路ブロックも、ＣＰＵ２の制御のもと、クロック発生部６により生成されたクロック信号に同期して各種処理を実行する。
【００２９】
これによりＣＰＵ２は、例えば、ユーザにより図示しない操作部を介して、テレビジョン放送局が指定されると、アンテナ７を介して受信しているテレビジョン放送波を、チューナを有する受信部８に取り込み、当該受信部８により、そのテレビジョン放送波の中から、指定されたテレビジョン放送波に対応する周波数帯域のテレビジョン放送信号を抽出して復調し、所定の処理等を施した後に、アナログ音声信号ＡＳＡとアナログ映像信号ＡＳＶとに分離する。
【００３０】
ところでアナログ映像信号ＡＳＶに基づく映像は、時間的に連続で、例えば１６：９のアスペクト比を有するＨＤ（High  Definition）画質の解像度のフレーム画像によって形成されている。
【００３１】
この映像を形成する個々のフレーム画像は、例えば、画像水平方向に１９２０個の画素が配置され、かつ、画像垂直方向に１０８０個の画素が配列されるように、長方形状に形成されている。
【００３２】
そしてアナログ映像信号ＡＳＶは、これら時間的に連続する複数のフレーム画像のフレーム画像信号が順に並べられて（すなわち一本化されて）形成されている。
【００３３】
また、これら個々のフレーム画像信号は、フレーム画像を正面から見たときの画像左端から右端へと画像水平方向に沿って１行の画素が走査され、かつ当該画像水平方向への１行の画素の走査を順次画像垂直方向に沿って画像上端から画像下端へ移動させるようにして表示されることを考慮して生成されている。
【００３４】
すなわち、個々のフレーム画像信号は、フレーム画像の画像水平方向と平行な１行ごとの複数の画素の画素信号の信号行（以下、これを水平方向画素信号行とも呼ぶ）が、画像垂直方向に沿った画像上端の水平方向画素信号行から画像下端の水平方向画素信号行までの順に一本化されて生成されている。
【００３５】
また個々のフレーム画像信号には、これら１行ごとの複数の画素に相当する水平方向画素信号行同士の間に、各水平方向画素信号行を区別するための水平同期信号が挿入されている。これによりフレーム画像信号は、水平同期信号により、個々の水平方向画素信号行を的確に区別させ得るようになされている。
【００３６】
さらに、これら個々のフレーム画像信号を一本化して生成されるアナログ映像信号ＡＳＶには、個々のフレーム画像信号同士の間に、これらを区別するための垂直同期信号が挿入されている。これによりアナログ映像信号ＡＳＶは、垂直同期信号により、個々のフレーム画像信号を的確に区別させ得るようになされている。
【００３７】
そして受信部８は、指定されたチャンネルのテレビジョン放送信号からアナログ映像信号ＡＳＶを分離すると、このアナログ映像信号ＡＳＶから水平同期信号と垂直同期信号とを抽出する。
【００３８】
このようにして受信部８は、指定されたチャンネルのテレビジョン放送信号からアナログ音声信号ＡＳＡとアナログ映像信号ＡＳＶとを分離すると共に、アナログ映像信号ＡＳＶから水平同期信号と垂直同期信号とを抽出する。
【００３９】
そして受信部８は、アナログ映像信号ＡＳＶから抽出した水平同期信号と垂直同期信号とを制御信号生成部９に送出する。また受信部８は、指定されたチャンネルのアナログ音声信号ＡＳＡを音声信号処理部１０に送出する。さらに受信部８は、指定されたチャンネルのアナログ映像信号ＡＳＶをアナログデジタル（Ａ/Ｄ）変換回路１１に送出する。
【００４０】
制御信号生成部９は、水平同期信号と垂直同期信号とに応じ、映像を処理するタイミングを同期させる信号（すなわち、処理状態を制御する信号であり、以下、これを処理同期信号とも呼ぶ）を生成し、これをアナログデジタル変換回路１１とデータ行列変換部１２と表示部１３とに送出する。
【００４１】
一方、音声処理部１０は、アナログ音声信号ＡＳＡに対してイコライジング等の音声信号処理を施して、アナログ音声信号ＡＳＡに基づく音声をスピーカ１４から放音させるようになされている。
【００４２】
他方、アナログデジタル変換回路１１は、処理同期信号に応じ、アナログ映像信号ＡＳＶをアナログデジタル変換することにより、デジタル映像信号ＤＳＶを生成する。
【００４３】
ここでデジタル映像信号ＤＳＶは、アナログデジタル変換回路１１によりアナログデジタル変換された結果、時間的に連続する複数のフレーム画像のフレーム画像データが順に並べられて（すなわち一本化されて）形成されている。
【００４４】
また、これら個々のフレーム画像データは、フレーム画像の画像水平方向と平行な１行ごとの複数の画素の画素データのデータ行（以下、これを水平方向画素データ行とも呼ぶ）が、画像垂直方向に沿った画像上端の水平方向画素データ行から画像下端の水平方向画素データ行までの順に一本化されて生成されている。
【００４５】
また画素データのそれぞれには、画素の輝度を指定する情報などが含まれている。
【００４６】
そしてアナログデジタル変換回路１１は、生成したデジタル映像信号ＤＳＶをデータ行列変換部１２へ送出する。
【００４７】
ここでデータ行列変換部１２は、デジタル映像信号ＤＳＶをフレーム画像ごとに記憶する画像メモリ１２Ａと、この画像メモリ１２Ａにデジタル映像信号ＤＳＶを記憶させる際に使用するアドレス（以下、これを記憶アドレスとも呼ぶ）を生成するアドレス生成回路１２Ｂとから構成されている。
【００４８】
データ行列変換部１２は、アナログデジタル変換回路１１からデジタル映像信号ＤＳＶが与えられると、アドレス生成回路１２Ｂにより、フレーム画像データを、当該フレーム画像データに基づくフレーム画像を画像メモリ１２Ａに形成する（すなわち、フレーム画像データを展開する）ようにして記憶するための記憶アドレスを生成する。
【００４９】
この記憶アドレスは、画像メモリ１２Ａの記憶領域にマッピングされたアドレスであり、アドレス生成回路１２Ｂは、フレーム画像データを構成する各画素データを、長方形状のフレーム画像に対応した位置に水平方向画素データ行ごとに記憶し得るような記憶アドレスを生成するようになされている。
【００５０】
実際上、データ行列変換部１２は、図３に示すように、デジタル映像信号ＤＳＶにより、「１９２０×１０８０」の解像度のフレーム画像データが水平方向画素データ行ＨＬごとに与えられると、アドレス生成回路１２Ｂにより、記憶アドレスＡをアドレス行方向に１９２０個生成すると共に、アドレス列方向に１０８０個生成することで、「１９２０個×１０８０個」のマトリックス状の記憶アドレスＡ（Ｍ、Ｎ）（Ｍ＝１〜１９２０、Ｎ＝１〜１０８０）を生成する。
【００５１】
そしてデータ行列変換部１２は、画像メモリ１２Ａの記憶領域において、アドレス生成回路１２Ｂにより生成した記憶アドレスＡが示す位置に対し、デジタル映像信号ＤＳＶの水平方向画素データ行ＨＬごとの各画素データＧを順次記憶することにより、フレーム画像データを構成する個々の画素データＧを画像メモリ１２Ａに記憶する。
【００５２】
実際上、データ行列変換部１２は、図３に示すように、例えば、デジタル映像信号ＤＳＶによりフレーム画像データが与えられると、このフレーム画像データの１本目の水平方向画素データ行ＨＬの個々の画素データＧ（Ｍ、１）（Ｍ＝１〜１９２０）を、アドレス上端の１行目の記憶アドレス記憶アドレスＡ（Ｍ、１）（Ｍ＝１〜１９２０）に対してアドレス左端からアドレス右端へと順に記憶する。
【００５３】
すなわちデータ行列変換部１２は、アドレス上端で、かつアドレス左端である記憶アドレスＡ（１、１）が示す位置に対して画素データＧ（１、１）を記憶し、記憶アドレスＡ（１、１）の１つ右の記憶アドレスＡ（２、１）が示す位置に対して画素データＧ（２、１）を記憶し、記憶アドレスＡ（２、１）の１つ右の記憶アドレスＡ（３、１）が示す位置に対して画素データＧ（３、１）を記憶し・・・記憶アドレスＡ（１９１９、１）の１つ右の記憶アドレスＡ（１９２０、１）が示す位置に対して画素データＧ（１９２０、１）を記憶するようにして、フレーム画像データの１本目の水平方向画素データ行ＨＬの個々の画素データＧ（Ｍ、１）（Ｍ＝１〜１９２０）を画像メモリ１２Ａに記憶する。
【００５４】
またデータ行列変換部１２は、フレーム画像データの２本目の水平方向画素データ行ＨＬの個々の画素データＧ（Ｍ、２）（Ｍ＝１〜１９２０）を、アドレス上端から２行目の記憶アドレス記憶アドレスＡ（Ｍ、２）（Ｍ＝１〜１９２０）に対してアドレス左端からアドレス右端へと順に記憶する。
【００５５】
すなわちデータ行列変換部１２は、アドレス上端から２行目で、かつアドレス左端である記憶アドレスＡ（１、２）が示す位置に対して画素データＧ（１、２）を記憶し、記憶アドレスＡ（１、２）の１つ右の記憶アドレスＡ（２、２）が示す位置に対して画素データＧ（２、２）を記憶し、記憶アドレスＡ（２、２）の１つ右の記憶アドレスＡ（３、２）が示す位置に対して画素データＧ（３、２）を記憶し・・・記憶アドレスＡ（１９１９、２）の１つ右の記憶アドレスＡ（１９２０、２）が示す位置に対して画素データＧ（１９２０、２）を記憶するようにして、フレーム画像データの２本目の水平方向画素データ行ＨＬの個々の画素データＧ（Ｍ、２）（Ｍ＝１〜１９２０）を画像メモリ１２Ａに記憶する。
【００５６】
そしてデータ行列変換部１２は、フレーム画像データの残りの１０７８本の水平方向画素データ行ＨＬの個々の画素データＧ（Ｍ、Ｎ）（Ｍ＝１〜１９２０、Ｎ＝３〜１０８０）についても同様に、記憶アドレスＡ（Ｍ、Ｎ）（Ｍ＝１〜１９２０、Ｎ＝３〜１０８０）が示す位置に対し、アドレス上端側からアドレス下端側への行ごとに、かつアドレス左端からアドレス右端へと順に記憶する。
【００５７】
このようにしてデータ行列変換部１２は、デジタル映像信号ＤＳＶによりフレーム画像データが与えられると、このフレーム画像データの個々の水平方向画素データ行ＨＬの画素データＧを順次アドレス行方向に記憶すると共に、水平方向画素データ行ＨＬごとにアドレス列方向に並べることで、フレーム画像データに基づくフレーム画像を画像メモリ１２Ａに展開するようにして記憶する（すなわち、フレーム画像の形状でフレーム画像データの個々の画素データＧを画像メモリ１２Ａに記憶する）ようになされている。
【００５８】
データ行列変換部１２は、画像メモリ１２Ａに対してフレーム画像の個々の画素データＧ（Ｍ、Ｎ）（Ｍ＝１〜１９２０、Ｎ＝１〜１０８０）を記憶すると、アドレス生成回路１２Ｂにより、当該複数の画素データＧ（Ｍ、Ｎ）（Ｍ＝１〜１９２０、Ｎ＝１〜１０８０）をアドレス列方向に読み出すように記憶アドレスＡを指定する。
【００５９】
そしてデータ行列変換部１２は、画像メモリ１２Ａの記憶領域ＲＺの中でアドレス生成回路１２Ｂにより指定した記憶アドレスＡが示す位置から画素データＧを順に読み出すことにより、フレーム画像データを、垂直方向の画素データ列（以下、これを垂直方向画素データ列とも呼ぶ）ごとに読み出す。
【００６０】
実際上、データ行列変換部１２は、図４に示すように、例えば、アドレス生成回路１２Ｂにより、アドレス左端の１列の記憶アドレスＡ（１、Ｎ）（Ｎ＝１〜１０８０）をアドレス上端側からアドレス下端側へと指定する。そしてデータ行列変換部１２は、画像メモリ１２Ａにおいて、指定した記憶アドレス記憶アドレスＡ（１、Ｎ）（Ｎ＝１〜１０８０）が示す位置から画素データＧ（１、Ｎ）（Ｎ＝１〜１０８０）を順に読み出すことで、１本目の垂直方向画素データ列ＶＬを読み出す。
【００６１】
すなわちデータ行列変換部１２は、アドレス上端で、かつアドレス左端である記憶アドレスＡ（１、１）が示す位置から画素データＧ（１、１）を読み出し、記憶アドレスＡ（１、１）の１つ下の記憶アドレスＡ（１、２）が示す位置から画素データＧ（１、２）を読み出し・・・記憶アドレスＡ（１、１０７９）の１つ下の記憶アドレスＡ（１、１０８０）が示す位置から画素データＧ（１、１０８０）を読み出すようにして、１本目の垂直方向画素データ列ＶＬの個々の画素データＧ（１、Ｎ）（Ｎ＝１〜１０８０）を画像メモリ１２Ａから読み出す。
【００６２】
またデータ行列変換部１２は、アドレス左端から２列目の記憶アドレスＡ（２、Ｎ）（Ｎ＝１〜１０８０）をアドレス上端側からアドレス下端側へと指定する。そしてデータ行列変換部１２は、画像メモリ１２Ａにおいて、指定した記憶アドレス記憶アドレスＡ（２、Ｎ）（Ｎ＝１〜１０８０）が示す位置から画素データＧ（２、Ｎ）（Ｎ＝１〜１０８０）を順に読み出すことで、２本目の垂直方向画素データ列ＶＬを読み出す。
【００６３】
すなわちデータ行列変換部１２は、アドレス上端で、かつアドレス左端から２列目である記憶アドレスＡ（２、１）が示す位置から画素データＧ（２、１）を読み出し、記憶アドレスＡ（２、１）の１つ下の記憶アドレスＡ（２、２）が示す位置から画素データＧ（２、２）を読み出し・・・記憶アドレスＡ（２、１０７９）の１つ下の記憶アドレスＡ（２、１０８０）が示す位置から画素データＧ（２、１０８０）を読み出すようにして、２本目の垂直方向画素データ列ＶＬの個々の画素データＧ（２、Ｎ）（Ｎ＝１〜１０８０）を画像メモリ１２Ａから読み出す。
【００６４】
そしてデータ行列変換部１２は、画素データＧ（Ｍ、Ｎ）（Ｍ＝３〜１９２０、Ｎ＝１〜１０８０）についても同様に、記憶アドレスＡ（Ｍ、Ｎ）（Ｍ＝３〜１９２０、Ｎ＝１〜１０８０）が示す位置から、アドレス左端側からアドレス右端側への列ごとに、かつアドレス上端からアドレス下端へと順に読み出すことで、１９１８本の垂直方向画素データ列ＶＬを読み出す。
【００６５】
このようにしてデータ行列変換部１２は、画像メモリ１２Ａに記憶されている画素データＧをアドレス左端側からアドレス右端側への列ごとに、かつアドレス上端からアドレス下端へと順に指定して読み出すことで、１９２０本の垂直方向画素データ列ＶＬを取得し、その結果、１枚のフレーム画像データを読み出すようになされている。
【００６６】
すなわちデータ行列変換部１２は、水平方向画素データ行ＨＬごとに伝送するようになされていたフレーム画像データを、垂直方向画素データ列ＶＬごとに伝送するように、フレーム画像データにおける個々の画素データＧの伝送方向の行列を変換するようになされている。
【００６７】
実際上、画像メモリ１２Ａには少なくとも２枚のフレーム画像分のフレーム画像データを記憶できるだけの記憶領域ＲＺが確保されており、データ行列変換部１２は、フレーム画像の画素データＧを画像メモリ１２Ａに記憶する処理（以下、これを画像記憶処理とも呼ぶ）と、既に記憶したフレーム画像（すなわち、現在記憶中の画像の１フレーム前の画像の画素データＧ）を画像メモリ１２Ａから読み出す処理（以下、これを画像読出処理とも呼ぶ）とを同時並行に行い得るようになされている。その結果、データ行列変換部１２では、記憶した画像の画素データＧを読み出す前に、次のフレームの画像の画素データＧを上書きすることを回避しつつ、デジタル映像信号ＤＳＶによりフレーム画像の画素データＧが送られてくるペースで、既に記憶しているフレーム画像の画素データＧを読み出すことができる。
【００６８】
そしてデータ行列変換部１２は、画像メモリ１２Ａから読み出した垂直方向画素データ列ＶＬを一本化することで、変換済デジタル映像信号ＣＳＶを生成する。
【００６９】
またデータ行列変換部１２は、変換済デジタル映像信号ＣＳＶを生成する際、垂直方向画素データ列ＶＬ同士の区切りを示す信号（以下、これを変換後垂直同期信号とも呼ぶ）ＤＳを生成する。
【００７０】
そしてデータ行列変換部１２は、このようにして生成した変換後垂直同期信号ＤＳを、変換済デジタル映像信号ＣＳＶと共に画像信号処理部１５に送出する。
【００７１】
画像信号処理部１５は、変換済デジタル映像信号ＣＳＶに対し、所定の補正等を施して補正済デジタル映像信号ＨＳＶを生成する。そして画像信号処理部１５は、生成した補正済デジタル映像信号ＨＳＶを表示部１３に送出し、変換後垂直同期信号ＤＳに応じて表示部１３を制御することで、補正済デジタル映像信号ＨＳＶに基づく映像を、表示部１３に表示させるようになされている。
【００７２】
このようにしてテレビジョン受像機１は、テレビ放送等により放送される放送波を受信してテレビジョン放送信号を復調し、ユーザに視聴させ得るようになされている。
【００７３】
（２）表示部の構成
ここで、画像信号処理部１５における処理に応じ、補正済デジタル映像信号ＨＳＶに基づく映像を表示部１３に表示する手法について、表示部１３の構成と共に詳述する。
【００７４】
図５において、表示部１３は、表示パネル２０と、電流供給回路２１と、接地配線切換回路２２とから構成されている。
【００７５】
表示パネル２０は、長方形状でなり、当該表示パネル２０のパネル水平方向のサイズとパネル垂直方向のサイズとのアスペクト比が「１６：９」になるように形成されている。
【００７６】
また表示パネル２０には、パネル水平方向と平行な１０８０本の電流供給用配線３１が、所定間隔で配線されている。
【００７７】
さらに表示パネル２０には、パネル垂直方向と平行な１９２０本の接地開放用配線３２が、所定間隔で、かつ、１０８０本の電流供給用配線３１のそれぞれと交差するように配線されている。
【００７８】
すなわち、表示パネル２０上において、電流供給用配線３１及び接地開放用配線３２は、格子状に配線されている。
【００７９】
ちなみに、これら電流供給用配線３１及び接地開放用配線３２は、電気の導電率の高い（すなわち抵抗率の低い）金属で形成されている。
【００８０】
これら、１０８０本の電流供給用配線３１と１９２０本の接地開放用配線３２とが交差する部分のそれぞれには、例えば、ＬＥＤ（Light Emitted Diode）発光素子のように、電流を制御することで発光の輝度が変化する電流駆動型の発光素子３０が設けられている。
【００８１】
すなわち発光素子３０は、表示パネル２０のパネル水平方向に１９２０個設けられ、また表示パネル２０のパネル垂直方向に１０８０個設けられており、その結果、表示パネル２０上に「１９２０個×１０８０個」のマトリックス状に配置されている。
【００８２】
発光素子３０は、電流供給用配線３１と接地開放用配線３２とが交差する部分において、入力端が電流供給用配線３１と接続されていると共に、出力端が接地開放用配線３２と接続されており、入力端を介して電流供給用配線３１から与えられる電流が、出力端を介して接地開放用配線３２に流れることにより発光するようになされている。
【００８３】
一方、電流供給回路２１には、表示パネル２０の電流供給用配線３１の数の分の定電流源２１Ａ、すなわち１０８０個の定電流源２１Ａが設けられている。これら定電流源２１Ａのそれぞれは、入力端が電源２３に接続されると共に、出力端が、対応する電流供給用配線３１に接続されている。そして定電流源２１Ａは、電源２３から所定電圧で出力される電流を、電流供給用配線３１を介して発光素子３０に供給し得るようになされている。
【００８４】
他方、接地配線切換回路２２には、表示パネル２０の接地開放用配線３２の数の分のスイッチング素子２２Ａ、すなわち１９２０個のスイッチング素子２２Ａが設けられている。これらスイッチング素子２２Ａのそれぞれは、入力端が接地開放用配線３２のそれぞれに接続されていると共に、出力端が接地されている。これらスイッチング素子２２Ａのそれぞれは、ＯＮになったときに接地開放用配線３２を接地させるようになされており、その結果、当該接地開放用配線３２上の１０８０個の発光素子３０に電流が流れて発光させるようになされている。
【００８５】
このような構成により表示部１３は、補正済デジタル映像信号ＨＳＶに基づき、時間的に連続する複数のフレーム画像を映像として表示するようになされている。
【００８６】
画像信号処理部１５は、データ行列変換部１２から変換済デジタル映像信号ＣＳＶと変換後垂直同期信号ＤＳとが与えられると、変換済デジタル映像信号ＣＳＶに対し、ガンマ補正等の補正を施すと共に、信号の強弱を、所定周期のパルスのパルス幅の違い（すなわちデューティー比）で表すように変更して（すなわちＰＷＭ：Pulse  Width  Modulationを施して）補正済デジタル映像信号ＨＳＶを生成する。
【００８７】
また画像信号処理部１５は、ＰＷＭを施して補正済デジタル映像信号ＨＳＶを生成する際、補正済デジタル映像信号ＨＳＶのパルスの周期を示す信号（以下、これをＰＷＭクロック信号とも呼ぶ）ＣＳを生成する。
【００８８】
さらに画像信号処理部１５は、データ行列変換部１２から供給された変換後垂直同期信号ＤＳに応じ、表示部１３の接地配線切換回路２２において、１９２０本の接地開放用配線３２のうち、スイッチング素子２２Ａにより接地する接地開放用配線３２を切り換えるための信号（以下、これを接地切換信号とも呼ぶ）ＫＳを生成する。
【００８９】
そして画像信号処理部１５は、補正済デジタル映像信号ＨＳＶとＰＷＭクロック信号ＣＳとを表示部１３の電流供給回路２１に送出するとともに、接地切換信号ＫＳを表示部１３の接地配線切換回路２２に送出する。
【００９０】
このようにして画像信号処理部１５は、表示部１３に表示させる補正済デジタル映像信号ＨＳＶを生成し、この補正済デジタル映像信号ＨＳＶを表示する際に用いるＰＷＭクロック信号ＣＳ及び接地切換信号ＫＳと共に表示部１３に送出するようになされている。
【００９１】
ここで、表示部１３の電流供給回路２１に設けられている各定電流源２１Ａのそれぞれには、図示しないコンパレータ回路や、計数回路、ラッチ回路等の各回路（以下、これらをまとめて信号処理回路とも呼ぶ）が設けられている。
【００９２】
表示部１３の電流供給回路２１は、補正済デジタル映像信号ＨＳＶとＰＷＭクロック信号ＣＳとが与えられると、ＰＷＭクロック信号ＣＳと共に、補正済デジタル映像信号ＨＳＶを垂直方向画素データ列ＶＬごとに各定電流源２１Ａに送出する。
【００９３】
定電流源２１Ａのそれぞれは、補正済デジタル映像信号ＨＳＶとＰＷＭクロック信号ＣＳとが与えられると、信号処理回路により、ＰＷＭクロック信号ＣＳに応じて、垂直方向画素データ列ＶＬの１９２０個の画素データＧのうち、対応する画素データＧを特定してラッチ（保持）する。
【００９４】
そして定電流源２１Ａのそれぞれは、ラッチした画素データＧの値（すなわち、ＰＷＭを施された結果としてのデューティー比）に応じた時間だけ、電流供給用配線３１に対して電流を供給する。すなわち定電流源２１Ａのそれぞれは、画素データＧが示す画素の輝度に応じた電流を電流供給用配線３１に対して供給するようになされている。
【００９５】
一方、表示部１３の接地配線切換回路２２に設けられている各スイッチング素子２２Ａのそれぞれには、図示しないレジスタが設けられており、当該レジスタがＨｉｇｈ状態になると対応するスイッチング素子２２Ａが「ＯＮ」になり（すなわち、接地開放用配線３２を接地させる）、当該レジスタがＬｏｗ状態になると対応するスイッチング素子２２Ａが「ＯＦＦ」になる（すなわち、接地開放用配線３２を接地させる）ようになされている。
【００９６】
そして表示部１３の接地配線切換回路２２は、接地切換信号ＫＳが与えられると、当該接地切換信号ＫＳに応じてＨｉｇｈ状態のレジスタを、パネル上端側からパネル下端側へと順次切り換えることでスイッチング素子２２Ａを制御し、１９２０本の接地開放用配線３２のうち、接地させる接地開放用配線３２を順次切り換える。
【００９７】
実際上、電流供給回路２１は、補正済デジタル映像信号ＨＳＶとＰＷＭクロック信号ＣＳとが与えられると、個々の定電流源２１Ａに対し、１本目の垂直方向画素データ列ＶＬ（すなわち、フレーム画像データの１列目の垂直方向画素データ列ＶＬを構成する画素データＧ（１、Ｎ）（Ｎ＝１〜１０８０））をＰＷＭクロック信号ＣＳと共に送出する（図４）。
【００９８】
表示パネル２０において、パネル上端側の１番目の定電流源２１Ａは、ＰＷＭクロック信号ＣＳに応じ、垂直方向画素データ列ＶＬの画素データＧ（１、１）（Ｎ＝１〜１０８０）のうち、１番目の画素データＧ（１、１）をラッチする。
【００９９】
また、パネル上端側から２番目の定電流源２１Ａは、ＰＷＭクロック信号ＣＳに応じ、垂直方向画素データ列ＶＬの画素データＧ（１、Ｎ）（Ｎ＝１〜１０８０）のうち、２番目の画素データＧ（１、２）をラッチする。
【０１００】
同様にして、パネル上端側から３番目以降の各定電流源２１Ａも、ＰＷＭクロック信号ＣＳに応じた画素データＧをラッチする。
【０１０１】
そして定電流源２１Ａのそれぞれは、ラッチした画素データＧが示す輝度に応じた電流を、それぞれの出力端に接続されている電流供給用配線３１に供給する。
【０１０２】
このとき接地配線切換回路２２では、画像信号処理部１５から接地切換信号ＫＳが供給された結果、パネル左端側の１番目のスイッチング素子２２Ａのみが「ＯＮ」になっており、その入力端に接続されている接地開放用配線３２を接地している。（すなわち、それ以外のスイッチング素子２２Ａは「ＯＦＦ」になっており、その入力端に接続されている接地開放用配線３２を開放している。）
【０１０３】
その結果、表示パネル２０では、「１９２０個×１０８０個」のマトリックス状の発光素子３０のうち、パネル左端側から１列目の発光素子３０（すなわち１０８０個の発光素子３０）が接地し、電流が流れて発光する。
【０１０４】
次いで、電流供給回路２１は、個々の定電流源２１Ａに対し、２本目の垂直方向画素データ列ＶＬ（すなわち、フレーム画像データの２列目の垂直方向画素データ列ＶＬを構成する画素データＧ（２、Ｎ）（Ｎ＝１〜１０８０））をＰＷＭクロック信号ＣＳと共に送出する（図４）。
【０１０５】
パネル上端側の１番目の定電流源２１Ａは、ＰＷＭクロック信号ＣＳに応じ、垂直方向画素データ列ＶＬの画素データＧ（２、１）（Ｎ＝１〜１０８０）のうち、１番目の画素データＧ（１、１）をラッチする。
【０１０６】
また、パネル上端側から２番目の定電流源２１Ａは、ＰＷＭクロック信号ＣＳに応じ、垂直方向画素データ列ＶＬの画素データＧ（２、Ｎ）（Ｎ＝１〜１０８０）のうち、２番目の画素データＧ（２、２）をラッチする。
【０１０７】
同様にして、パネル上端側から３番目以降の各定電流源２１Ａも、ＰＷＭクロック信号ＣＳに応じた画素データＧをラッチする。
【０１０８】
そして定電流源２１Ａのそれぞれは、ラッチした画素データＧが示す輝度に応じた電流を、それぞれの出力端に接続されている電流供給用配線３１に供給する。
【０１０９】
このとき接地配線切換回路２２では、画像信号処理部１５から次の接地切換信号ＫＳが供給された結果、パネル左端側から１番目のスイッチング素子２２Ａが「ＯＮ」から「ＯＦＦ」に切り換わると共に、パネル左端側から２番目のスイッチング素子２２Ａが「ＯＦＦ」から「ＯＮ」に切り換わり、その入力端に接続されている接地開放用配線３２を接地している（すなわち、それ以外のスイッチング素子２２Ａは「ＯＦＦ」になっており、その入力端に接続されている接地開放用配線３２を開放している。）。
【０１１０】
その結果、表示パネル２０では、「１９２０個×１０８０個」のマトリックス状の発光素子３０のうち、パネル左端側から２列目の発光素子３０（すなわち１０８０個の発光素子３０）が接地し、電流が流れて発光する。
【０１１１】
そして表示部１３は、フレーム画像データの残りの３列目〜１９２０列目までの垂直方向画素データ列ＶＬについても同様に、電流供給回路２１の各定電流源２１Ａにより、対応する電流供給用配線３１に電流を供給させると共に、接地配線切換回路２２のスイッチング素子２２Ａにより、発光させる発光素子３０の列をパネル左端側からパネル右端側へと順に切り換える。
【０１１２】
このようにして表示部１３は、表示パネル２０上の「１９２０個×１０８０個」のマトリックス状の発光素子３０を、パネル左端側からパネル右端側へと１列ずつ走査して順に発光させることができ、その結果、フレーム画像データに基づくフレーム画像データを表示するようになされている。
【０１１３】
そして表示部１３は、このようにして表示するフレーム画像を、補正済デジタル映像信号ＨＳＶに応じて順次切り換えることで、時間的に連続する複数のフレーム画像を映像として表示するようになされている。
【０１１４】
（３）電圧降下の比較
次に、表示パネル２０上の各発光素子３０を発光させる際の、接地開放用配線３２における電圧降下について、従来の方式における電圧降下との比較を行う。
【０１１５】
まず、接地開放用配線３２において、隣り合う電流供給用配線３１（すなわち、隣り合う発光素子３０の接続点）により区切られた接地開放用配線３２の区間（以下、これを単位配線区間とも呼ぶ）に対して駆動電流「ΔＩ」が流れたときの電圧降下（以下、これを単位電圧降下と呼ぶ）「ΔＥＰ１」は、単位配線区間の配線抵抗（以下、これを単位配線抵抗とも呼ぶ）をΔＲとすると、次式、
【０１１６】
ΔＥＰ１＝ΔＩ×ΔＲ                                            ……（１）
【０１１７】
で求めることができる。
【０１１８】
ところで、接地開放用配線３２に流れる電流は発光素子３０で区切られる単位配線区間ごとに駆動電流「ΔＩ」ずつ増加しているため、単位配線区間の単位電圧降下「ΔＥＰＮ」は、接地開放用配線３２において、この単位配線区間よりもパネル右端側で接続している発光素子３０の数を「Ｎ」とすると、次式、
【０１１９】
ΔＥＰＮ＝ΔＩ×ΔＲ×Ｎ                                        ……（２）
【０１２０】
のように、パネル右端側からパネル左端側へと移動するに従って増加する関係になる。
【０１２１】
その結果、１本の接地開放用配線３２の全体における降下電圧「ΔＥＡ」は、各単位配線区間における単位電圧降下「ΔＥＰＮ」の合計となり、次式、
【０１２２】
ΔＥＡ＝ΔＩ×ΔＲ×Ｎ×（Ｎ＋１）／２                          ……（３）
【０１２３】
のように表すことができる。
【０１２４】
この（３）式に対して「Ｎ＝１０８０」を代入すると、上述した実施の形態における降下電圧「ΔＥ１０８０」を算出することができ、次式、
【０１２５】
ΔＥ１０８０＝ΔＩ×ΔＲ×１０８０×（１０８０＋１）／２
＝ΔＩ・ΔＲ・５８３７４０                          ……（４）
【０１２６】
となる。
【０１２７】
一方、従来（図１）のように、接地開放用配線が水平方向（すなわち長辺方向）に設けられ、この水平方向に設けられた接地開放用配線に対し、１９２０個の発光素子が接続していると仮定した場合における電圧降下「ΔＥ１９２０」は、（３）式に対して、「Ｎ＝１９２０」を代入することで算出することができ、次式、
【０１２８】
ΔＥｙ＝ΔＩ×ΔＲ×１９２０×（１９２０＋１）／２
＝ΔＩ・ΔＲ・１８４４１６０                              ……（５）
【０１２９】
であることから、次式
【０１３０】
ΔＥ１０８０／ΔＥ１９２０
＝（ΔＩ・ΔＲ・５８３７４０）／（ΔＩ・ΔＲ・１８４４１６０）
＝０．３２                                                      ……（６）
【０１３１】
となり、表示パネル２０の短辺方向に設けられた接地開放用配線３２における電圧降下「ΔＥ１０８０」は、従来の方式（すなわち、表示パネル２０の長辺方向に接地開放用配線が設けられている場合）の電圧降下「ΔＥ１９２０」と比較して、３２％程度にまで低減することができる。
【０１３２】
このようにして表示部１３の表示パネル２０では、接地開放用配線が表示パネル２０の長辺方向に配線されている従来の場合に比して、接地開放用配線３２が短くなるとともに、この接地開放用配線３２に接続する発光素子３０の数が少なくなり（すなわち、１９２０個から１０８０個に減少し）、これら発光素子３０に電流を流して発光させる際に、接地開放用配線３２における電圧降下を低減することができ、その結果、発光素子３０に電流を供給するために接地開放用配線３２における電圧降下を見込んで電源２３が出力する電圧を低減することができる。
【０１３３】
（４）動作及び効果
以上の構成において、テレビジョン受像機１の表示部１３では、表示パネル２０上において、パネル水平方向に平行な１０８０本の電流供給用配線３１とパネル垂直方向に平行な１９２０本の接地開放用配線３２とが格子状に配線されている。
【０１３４】
また、これら１０８０本の電流供給用配線３１と１９２０本の接地開放用配線３２とが交差する部分のそれぞれには、発光素子３０が設けられている。
【０１３５】
さらに、発光素子３０は、電流供給用配線３１と接地開放用配線３２とが交差する部分において、入力端が電流供給用配線３１と接続されていると共に、出力端が接地開放用配線３２と接続されており、入力端を介して電流供給用配線３１から与えられる電流が、出力端を介して接地開放用配線３２に流れることにより発光するようになされている。
【０１３６】
さらに電流供給回路２１には、表示パネル２０の電流供給用配線３１の数の分の定電流源２１Ａ、すなわち１０８０個の定電流源２１Ａが設けられており、電源２３から所定電圧で出力される電流を、電流供給用配線３１を介して発光素子３０に供給し得るようになされている。
【０１３７】
他方、接地配線切換回路２２には、表示パネル２０の接地開放用配線３２の数の分のスイッチング素子２２Ａ、すなわち１９２０個のスイッチング素子２２Ａが設けられており、ＯＮになったときに接地開放用配線３２を接地させるようになされている。
【０１３８】
こうすることで、テレビジョン受像機１の表示部１３では、接地開放用配線が表示パネル２０の長辺方向に配線されている従来の場合に比して、この接地開放用配線３２に接続する発光素子３０の数が少なくなり（すなわち、１９２０個から１０８０個に減少し）、これら発光素子３０に電流を流して発光させる際に、接地開放用配線３２における電圧降下を低減することができ、その結果、発光素子３０に電流を供給するために接地開放用配線３２における電圧降下を見込んで電源２３が出力する電圧を低減することができる。
【０１３９】
さらにこの場合、テレビジョン受像機１の表示部１３では、接地開放用配線が表示パネル２０の長辺方向に配線されている従来の場合に比して、接地開放用配線３２の長さが短くなって配線抵抗が低減し、発光素子３０に電流を流して発光させる際に、接地開放用配線３２における電圧降下を低減することができ、その結果、発光素子３０に電流を供給するために接地開放用配線３２における電圧降下を見込んで電源２３が出力する電圧をさらに低減することができる。
【０１４０】
またテレビジョン受像機１のデータ行列変換部１２は、デジタル映像信号ＤＳＶによりフレーム画像データが与えられると、このフレーム画像データの個々の水平方向画素データ行ＨＬの画素データＧを順次アドレス行方向に記憶すると共に、水平方向画素データ行ＨＬごとにアドレス列方向に並べることで、フレーム画像データに基づくフレーム画像を画像メモリ１２Ａに展開するようにして記憶する。
【０１４１】
またテレビジョン受像機１のデータ行列変換部１２は、画像メモリ１２Ａに記憶されている画素データＧをアドレス左端側からアドレス右端側への列ごとに、かつアドレス上端からアドレス下端へと順に指定して読み出すことで、１９２０本の垂直方向画素データ列ＶＬを取得し、その結果、１枚のフレーム画像を読み出す。
【０１４２】
こうすることで、テレビジョン受像機１のデータ行列変換部１２は、水平方向画素データ行ＨＬごとに伝送するようになされていたフレーム画像データを、垂直方向画素データ列ＶＬごとに伝送するように、フレーム画像データにおける個々の画素データＧの伝送方向の行列を変換することができ、テレビジョン放送波を受信した結果として、そのままでは表示部１３の表示パネル２０に表示し得ないデジタル映像信号ＤＳＶを取得した場合に、このデジタル映像信号ＤＳＶを、表示部１３の表示パネル２０に表示し得える変換済デジタル映像信号ＣＳＶに自動に変換することができ、かくして、既存のテレビジョン放送で用いることができる。
【０１４３】
さらにテレビジョン受像機１は、データ行列変換部１２の画像メモリ１２Ａに対し、少なくとも２フレーム分の画像の画素データＧを記憶できるだけの記憶領域ＲＺを確保している。
【０１４４】
こうすることでテレビジョン受像機１のデータ行列変換部１２では、フレーム画像の画素データＧを画像メモリ１２Ａに記憶する画像記憶処理と、既に記憶したフレーム画像（すなわち、現在記憶中の画像の１フレーム前の画像の画素データＧ）を画像メモリ１２Ａから読み出す画像読出処理とを同時並行に行うことができ、その結果、記憶した画像の画素データＧを読み出す前に、次のフレームの画像の画素データＧを上書きすることを回避できる。
【０１４５】
以上の構成によれば、１０８０行及び１９２０列に配置された発光素子３０と、複数の発光素子３０の電流入力端に対し行毎に接続され、複数の発光素子３０に対し行毎に電流を供給するための複数の電流供給用配線３１と、複数の発光素子３０の電流出力端に対し列毎に接続され、複数の複数の発光素子３０の電流出力端を列毎に接地及び開放するための複数の接地開放用配線３２と、複数の電流供給用配線３１を介して複数の複数の発光素子３０に対し行毎に電流を供給する電流供給回路２１と、複数の接地開放用配線３２を介して順次１列の複数の発光素子３０の電流出力端を接地し、かつ残りの列の複数の発光素子３０の電流出力端を開放するようにして、電流出力端を順次接地した一列の複数の発光素子３０を発光させてフレーム画像を表示する接地配線切換回路２２とを設けるようにしたことにより、接地開放用配線３２が複数の発光素子３０の電流出力端と行毎に接続されている場合に比してこの接地開放用配線３２に接続する発光素子３０の数が少なくなり、接地配線切換回路２２により１列の発光素子３０を接地した結果としてこの１列の発光素子３０に接続する接地開放用配線３２に電流が流れる際に、接地開放用配線３２における電圧降下を低減することができ、その結果、１列の発光素子３０に電流を供給するために接地開放用配線３２における電圧降下を見込んで電源２３が出力する電圧を低減することができ、かくして、消費電力を低減できる。
【０１４６】
（５）他の実施の形態
なお、上述した実施の形態においては、表示パネル２０に対し、パネル水平方向に平行な１０８０本の電流供給用配線３１とパネル垂直方向に平行な１９２０本の接地開放用配線３２とが格子状に配線するようにした場合について述べたが、本発明はこれに限らず、表示パネル２０に対し、例えば、パネル水平方向に平行な４８０本の電流供給用配線３１とパネル垂直方向に平行な６４０本の接地開放用配線３２とが格子状に配線したり、パネル水平方向に平行な１０８０本の電流供給用配線３１とパネル垂直方向に平行な１４４０本の接地開放用配線３２とが格子状に配線したりするようにしてもよく、その場合でも、上述した実施の形態と同様の効果を得ることができる。
【０１４７】
また、カラーに表示するため、赤緑青（以下、これをＲＧＢとも呼ぶ）それぞれの発光素子を発光させるような表示パネルに適用してもよい。従来例との比較を用いて以下に詳述する。
【０１４８】
図６（Ａ）に示す従来例のように、接地開放用配線３２を表示パネル２０の長辺方向に配置する場合では、１つの画素データＧを表現するために、ＲＧＢそれぞれの発光素子３０ｒ、発光素子３０ｇ、発光素子３０ｂが必要になり（すなわち発光素子３０が３倍必要になり）、その結果、接地開放用配線３２上の発光素子３０ｒ、３０ｇ、及び３０ｂの総数は、５７６０個にもなる。
【０１４９】
これに対し、図６（Ｂ）に示す他の実施例のように、接地開放用配線３２を表示パネル２０の短辺方向に配置する場合では、１つの画素データＧを表現するために、ＲＧＢそれぞれの発光素子３０ｒ、発光素子３０ｇ、発光素子３０ｂが必要になるものの、接地開放用配線３２上の発光素子３０ｒ、３０ｇ、及び３０ｂの総数は３２４０個にしかならない。すなわち、カラー用に発光素子３０を３倍設けた場合においても、従来に比して接地開放用配線３２上の発光素子３０の総数が減少するため、上述した実施例と同様の効果を得ることができる。
【０１５０】
また、上述した実施の形態においては、長方形状の表示パネル２０の短辺方向に複数の接地開放用配線３０を配線し、接地配線切換回路２２により、これら複数の接地開放用配線３０の接続を切り換えるようにした場合について述べたが、本発明はこれに限らず、図７に示すように、複数の接地開放用配線３２のそれぞれ複数の第１の接地開放用配線３２Ａと複数の第２の接地開放用配線３２Ｂとに分離し、第１の接地配線切換回路５０Ａにより、複数の第１の接地開放用配線３２Ａの接続を切り換えるとともに、第２の接地配線切換回路５０Ｂにより、複数の第２の接地開放用配線３２Ｂの接続を切り換えるようにしてもよい。
【０１５１】
この場合、画像信号処理部１５が、第１の接地配線切換回路５０Ａと第２の接地配線切換回路５０Ｂとの両方に対して選択切換信号ＫＳを送出するようにすれば、表示部１３、上述の実施の形態と同様にして映像を表示することができる。
【０１５２】
その際、第１の接地開放用配線３２Ａと第２の接地開放用配線３２Ｂとのそれぞれに接続される発光素子３０の数は、上述した実施の形態における接地開放用配線３２に比して少なくなるため、これら発光素子３０に電流を流して発光させる際に、第１の接地開放用配線３２Ａと第２の接地開放用配線３２Ｂにおける電圧降下を、上述した実施の形態における接地開放用配線３２での電圧降下よりもさらに低減することができる。
【０１５３】
さらにこの場合、接地開放用配線３２を３以上に分離する（すなわち、第１の接地開放用配線３２Ａ、第２の接地開放用配線３２Ｂ、第３の接地開放用配線３２Ｃ・・・と分離する）ようにして、その数だけ接地配線切換回路（すなわち、第１の接地配線切換回路５０Ａ、第２の接地配線切換回路５０Ｂ、第３の接地配線切換回路５０Ｃ・・・）を設けてもよく、そうすることで、より一層、電圧降下を低減することができる。
【０１５４】
さらに、上述した実施の形態においては、表示パネル２０に対し、１０８０本の電流供給用配線３１を、正面から見たときの水平方向と平行に配線し、１９２０本の接地開放用配線３２を正面から見たときの垂直方向と平行に配線するようにした場合について述べたが、本発明はこれに限らず、接地開放用配線３２の数が電流供給用配線３１の数よりも大きくなるのであれば、電流供給用配線３１及び接地開放用配線３２を配線する方向は特に限定しない。つまり、テレビジョン受像機１の表示部１３は、例えば図８に示すように、表示パネル６０に対し、１０８０本の電流供給用配線３１を正面から見たときの垂直方向に配線するとともに、１９２０本の接地開放用配線３２を正面から見たときの水平方向に配線するようにしてもよく（いわゆる縦型画面に適用してもよく）、この場合でも、上述した実施の形態と同様の効果を得ることができる。
【０１５５】
さらに、上述した実施の形態においては、電流供給用配線３１及び接地開放用配線３２の両方が、電気の導電率の高い（すなわち抵抗率の低い）金属で形成されるようにした場合について述べたが、本発明はこれに限らず、電流供給用配線３１及び接地開放用配線３２の一方、または両方を、例えばＩＴＯ（Indium  Tin  Oxide）のように、可視光の透過率が高く、且つ、導電性をもつ酸化金属系の透明導電材料を用いるようにしてもよい。
【０１５６】
ちなみに、この透明導電材料は、金属に比して導電率が低い（抵抗率が高い）という特徴があるため、電流供給用配線３１及び接地開放用配線３２の一方を金属材料にし、もう一方を透明導電材料にする場合、金属に比して導電率の低い透明導電材料を電流供給用配線３１に用いるようにすれば、接地開放用配線３２における電圧降下を増加させないようにすることができる。
【０１５７】
さらに、上述した実施の形態においては、テレビジョン受像機１が、アナログのテレビジョン信号（すなわちアナログ映像信号ＡＳＶ）を受信するようにした場合について述べたが、本発明はこれに限らず、デジタルのテレビジョン信号を受信するようにしてもよく、テレビジョン受像機１が受信する信号の形態は特に限定しない。
【０１５８】
さらに、上述した実施の形態においては、データ行列変換部１２のアドレス生成回路１２Ｂは、デジタル映像信号ＤＳＶが与えられるごとに、１フレームの画像分の記憶アドレスを生成するようにした場合について述べたが、本発明はこれに限らず、１フレームの画像分の記憶アドレスを１セット或いは複数セット予め保持しておき、デジタル映像信号ＤＳＶが与えられたときにこれらを読み出すようにしてもよい。そうすることで、デジタル映像信号ＤＳＶが与えられるごとに記憶アドレスを生成しないで済む分だけ、処理を減らすことができる。
【０１５９】
さらに上述した実施の形態においては、テレビジョン受像機１に本発明を適用するようにした場合について述べたが、本発明はこれに限らず、放送波の受信機能を持たない外部モニタや、パーソナルコンピュータのディスプレイ、ノート型パーソナルコンピュータ、携帯型ビデオプレイヤのディスプレイなどに適用することができる。
【０１６０】
さらに上述した実施の形態においては、電流駆動型の発光素子３０として、ＬＥＤ発光素子を用いるようにした場合について述べたが、本発明はこれに限らず、電流を制御することで発光の輝度を変化させることができるのであれば、どんな発光素子でもよく、有機ＥＬ（Electro  Luminescence）を用いた発光素子などであってもよい。
【０１６１】
さらに、本発明は、上述した実施の形態及びここまで説明した他の実施の形態に限定されるものではなく、この実施の形態及びここまで説明した他の実施の形態の一部または全部を任意に組み合わせた形態、もしくは一部を抽出した形態にもその適用範囲が及ぶものである。
【産業上の利用可能性】
【０１６２】
本発明は、テレビジョン受像機のディスプレイに利用することができる。
【図面の簡単な説明】
【０１６３】
【図１】従来の表示装置の構成と電圧降下の説明に供する略線図である。
【図２】テレビジョン受像機の構成を示すブロック図である。
【図３】画素データの記憶の様子を示す略線図である。
【図４】画素データの読み出しの様子を示す略線図である。
【図５】表示部の構成を示す略線図である。
【図６】他の実施の形態における表示部の構成（１）を示す略線図である。
【図７】他の実施の形態における表示部の構成（２）を示す略線図である。
【図８】他の実施の形態における表示部の構成（３）を示す略線図である。
【符号の説明】
【０１６４】
１……テレビジョン受像機、１２……データ行列変換部、１２Ａ……画像メモリ、１２Ｂ……アドレス生成回路、１３……表示部、１５……画像信号処理部、２０……表示パネル、２１……電流供給回路、２１Ａ……定電流源、２２……接地配線切換回路、２２Ａ……スイッチング素子、２３……電源、３０……発光素子、３１……電流供給用配線、３２……接地開放用配線、ＡＳＶ……アナログ映像信号、ＤＳＶ……デジタル映像信号、ＣＳＶ……変換済デジタル映像信号、ＨＳＶ……補正済デジタル映像信号。
【図１】
2009150942.tif 000003
【図２】
2009150942.tif 000004
【図３】
2009150942.tif 000005
【図４】
2009150942.tif 000006
【図５】
2009150942.tif 000007
【図６】
2009150942.tif 000008
【図７】
2009150942.tif 000009
【図８】
2009150942.tif 000010